(57)【特許請求の範囲】
【請求項１】
印刷媒体の媒体イメージを表示する情報処理装置であって、
前記印刷媒体の媒体色を特定可能な情報を含む媒体情報を取得する取得部と、
前記媒体情報に基づき、前記媒体イメージの表示色候補となる複数の選択肢を表示する選択肢表示部と、
前記複数の選択肢の中から任意の選択肢を選択する選択部と、
前記任意の選択肢に対応した表示色で、前記媒体イメージを表示するイメージ表示部と、を備えることを特徴とする情報処理装置。
【請求項２】
前記選択肢表示部は、前記複数の選択肢として、前記印刷媒体の媒体色の近似色を示す所定数の表示色候補を表示することを特徴とする請求項１に記載の情報処理装置。
【請求項３】
前記媒体情報は、前記印刷媒体の印刷色を特定可能な情報を含み、
前記選択肢表示部は、前記媒体情報に基づき、前記媒体イメージの表示色候補となる複数の選択肢である第１の選択肢群と共に、前記印刷媒体に印刷される印刷画像の画像イメージの表示色候補となる複数の選択肢である第２の選択肢群を表示し、
前記選択部は、前記第１の選択肢群および前記第２の選択肢群の中から、それぞれ第１の選択肢および第２の選択肢を選択し、
前記イメージ表示部は、前記第１の選択肢に対応した表示色の前記媒体イメージに、前記第２の選択肢に対応した表示色の前記画像イメージを重畳表示することを特徴とする請求項１または２に記載の情報処理装置。
【請求項４】
前記媒体情報は、前記印刷媒体の印刷色を特定可能な情報を含み、
前記選択肢表示部は、前記複数の選択肢として、前記印刷媒体に印刷される印刷画像の画像イメージを、前記媒体イメージに重畳表示した複数のイメージサンプルを表示し、
前記複数のイメージサンプルは、前記媒体イメージの表示色および前記画像イメージの表示色の少なくとも一方が異なることを特徴とする請求項１または２に記載の情報処理装置。
【請求項５】
前記選択部による前記任意の選択肢の選択結果を記憶する記憶部をさらに備え、
前記選択肢表示部は、前記記憶部に記憶されている前記選択結果を考慮して、前記媒体イメージの表示色候補となる複数の選択肢を表示することを特徴とする請求項１ないし４のいずれか一項に記載の情報処理装置。
【請求項６】
前記イメージ表示部は、
前記取得部によって前記媒体情報を取得したとき、前記印刷媒体の媒体色に対応する基準色で前記媒体イメージを表示し、
前記選択部によって前記任意の選択肢が選択されたとき、前記媒体イメージを当該任意の選択肢に対応した表示色に変更することを特徴とする請求項１ないし５のいずれか一項に記載の情報処理装置。
【請求項７】
前記印刷媒体は、長尺状の印刷テープであり、
前記媒体イメージは、前記印刷テープを短冊状に切断したラベルのイメージであることを特徴とする請求項１ないし６のいずれか一項に記載の情報処理装置。
【請求項８】
印刷媒体の媒体イメージを表示する情報処理装置の表示方法であって、
前記印刷媒体の媒体色を特定可能な情報を含む媒体情報を取得する取得ステップと、
前記媒体情報に基づき、前記媒体イメージの表示色候補となる複数の選択肢を表示する選択肢表示ステップと、
前記複数の選択肢の中から任意の選択肢を選択する選択ステップと、
前記任意の選択肢に対応した表示色で、前記媒体イメージを表示するイメージ表示ステップと、を実行することを特徴とする情報処理装置の表示方法。
【請求項９】
コンピューターに、請求項８に記載の情報処理装置の表示方法における各ステップを実行させるためのプログラム。
【発明の詳細な説明】
【技術分野】
【０００１】
本発明は、印刷媒体の媒体イメージを表示する情報処理装置、情報処理装置の表示方法およびプログラムに関する。
【背景技術】
【０００２】
従来、この種の技術として特許文献１が知られている。当該特許文献１には、装着されたテープカートリッジの種別から印刷媒体の色を判別し、判別した色に対応する表示色でテープイメージを表示する技術が開示されている。
【先行技術文献】
【特許文献】
【０００３】
【特許文献１】特開平９−１０９４７９号公報
【発明の概要】
【発明が解決しようとする課題】
【０００４】
ところで、近年、情報処理装置で印刷データを生成し、その印刷データをテープ印刷装置に送信してラベルを作成する方法が知られている。この構成により、テープ印刷装置の簡略化および低廉化を図ることができ、且つ印刷データを編集する際の操作性も向上する。ところが、このように情報処理装置で印刷データを生成する場合、特許文献１のように、判別した色に対応する表示色でテープイメージを表示しても、情報処理装置に搭載された表示画面の特性によって実際のラベル色と乖離してしまう虞がある。
【０００５】
そこで、このような問題を回避すべく、情報処理装置の表示画面に応じてテープイメージの表示色を変化させるためのプロファイルを用意し、情報処理装置内に記憶させておくことが考えられるが、その対応数から膨大なデータ量になることが予想され、現実的ではない。また、情報処理装置の表示画面に対応したプロファイルをインターネット上のサーバーなどから取得する方法も考えられるが、ユーザーの使用環境（照明、画面設定など）によっても表示色の見え方が異なるため、対応が困難である。
【０００６】
本発明は、上記の問題点に鑑み、表示画面の特性やユーザーの使用環境に依らず、実際の印刷媒体の媒体色に近い表示色で媒体イメージを表示可能な情報処理装置、情報処理装置の表示方法およびプログラムを提供することを目的とする。
【課題を解決するための手段】
【０００７】
本発明の情報処理装置は、印刷媒体の媒体イメージを表示する情報処理装置であって、印刷媒体の媒体色を特定可能な情報を含む媒体情報を取得する取得部と、媒体情報に基づき、媒体イメージの表示色候補となる複数の選択肢を表示する選択肢表示部と、複数の選択肢の中から任意の選択肢を選択する選択部と、任意の選択肢に対応した表示色で、媒体イメージを表示するイメージ表示部と、を備えることを特徴とする。
【０００８】
本発明の情報処理装置の表示方法は、印刷媒体の媒体イメージを表示する情報処理装置の表示方法であって、印刷媒体の媒体色を特定可能な情報を含む媒体情報を取得する取得ステップと、媒体情報に基づき、媒体イメージの表示色候補となる複数の選択肢を表示する選択肢表示ステップと、複数の選択肢の中から任意の選択肢を選択する選択ステップと、任意の選択肢に対応した表示色で、媒体イメージを表示するイメージ表示ステップと、を実行することを特徴とする。
【０００９】
本発明の構成によれば、取得した媒体情報に基づいて、媒体イメージの表示色候補となる複数の選択肢を表示し、その中から選択された色で媒体イメージを表示するため、表示画面の特性やユーザーの使用環境に依らず、ユーザーが実際の媒体色と近いと感じる表示色で媒体イメージを表示させることができる。また、表示画面の特性に合わせて表示色を変化させるためのプロファイル等を必要としないため、アプリケーションの開発も容易である。
【００１０】
上記の情報処理装置において、選択肢表示部は、複数の選択肢として、印刷媒体の媒体色の近似色を示す所定数の表示色候補を表示することを特徴とする。
【００１１】
本発明の構成によれば、複数の選択肢として、印刷媒体の媒体色の近似色を示す表示色候補を表示するため、近似色に限らずフルカラーの表示色候補を表示する場合と比較して、ユーザーが選択肢の選択を容易に行うことができる。また、表示色候補は所定数を表示するため、媒体色によって選択肢の数が増減することがなく、選択が容易である。
【００１２】
上記の情報処理装置において、媒体情報は、印刷媒体の印刷色を特定可能な情報を含み、選択肢表示部は、媒体情報に基づき、媒体イメージの表示色候補となる複数の選択肢である第１の選択肢群と共に、印刷媒体に印刷される印刷画像の画像イメージの表示色候補となる複数の選択肢である第２の選択肢群を表示し、選択部は、第１の選択肢群および第２の選択肢群の中から、それぞれ第１の選択肢および第２の選択肢を選択し、イメージ表示部は、第１の選択肢に対応した表示色の媒体イメージに、第２の選択肢に対応した表示色の画像イメージを重畳表示することを特徴とする。
【００１３】
本発明の構成によれば、媒体イメージだけでなく、印刷媒体に印刷される印刷画像の画像イメージについても、ユーザーが実際の印刷色と近いと感じる表示色で表示させることができる。
【００１４】
上記の情報処理装置において、媒体情報は、印刷媒体の印刷色を特定可能な情報を含み、選択肢表示部は、複数の選択肢として、印刷媒体に印刷される印刷画像の画像イメージを、媒体イメージに重畳表示した複数のイメージサンプルを表示し、複数のイメージサンプルは、媒体イメージの表示色および画像イメージの表示色の少なくとも一方が異なることを特徴とする。
【００１５】
本発明の構成によれば、複数の選択肢として、印刷媒体に印刷される印刷画像の画像イメージを媒体イメージに重畳表示した複数のイメージサンプルを表示するため、ユーザーは実際に作成されるラベルを想定しながら選択操作を行うことができる。
【００１６】
上記の情報処理装置において、選択部による任意の選択肢の選択結果を記憶する記憶部をさらに備え、選択肢表示部は、記憶部に記憶されている選択結果を考慮して、媒体イメージの表示色候補となる複数の選択肢を表示することを特徴とする。
【００１７】
本発明の構成によれば、過去の選択結果を学習し、その学習結果を反映して複数の選択肢を表示するため、ユーザーの選択操作をアシストすることができる。例えば、前回、明度が異なる５段階の表示色候補の中から、最下位段階の表示色候補を選択した場合、今回は、その最下位段階の表示色候補を中心値とする表示色候補を表示する、などが考えられる。この場合ユーザーは、中心値から表示色候補を検討していくことで、自分の好みの表示色を迅速に探し出すことができる。
【００１８】
上記の情報処理装置において、イメージ表示部は、取得部によって媒体情報を取得したとき、印刷媒体の媒体色に対応する基準色で媒体イメージを表示し、選択部によって任意の選択肢が選択されたとき、媒体イメージを当該任意の選択肢に対応した表示色に変更することを特徴とする。
【００１９】
本発明の構成によれば、媒体情報を取得した時点で、印刷媒体の媒体色に対応する基準色で媒体イメージを表示するため、ユーザーは、当該基準色に違和感があったときのみ表示色を変更することができる。つまり、基準色に違和感がない場合の不要な選択操作を省略できる。
【００２０】
上記の情報処理装置において、印刷媒体は、長尺状の印刷テープであり、媒体イメージは、印刷テープを短冊状に切断したラベルのイメージであることを特徴とする。
【００２１】
本発明の構成によれば、ラベルを作成する場合、その媒体色のイメージが成果物のイメージに大きく影響するため、実際の媒体色に近い表示色で媒体イメージを表示することで、ユーザーが希望するラベルを作成できる。
【００２２】
本発明のプログラムは、コンピューターに、上記の情報処理装置の表示方法における各ステップを実行させることを特徴とする。
【００２３】
このプログラムを用いることにより、表示画面の特性やユーザーの使用環境に依らず、実際の印刷媒体の媒体色に近い表示色で媒体イメージを表示可能な情報処理装置の表示方法を実現できる。
【図面の簡単な説明】
【００２４】
【図１】本発明の一実施形態に係る印刷システムの構成図である。
【図２】ＰＣのハードウェア構成を示すブロック図である。
【図３】テープ印刷装置のハードウェア構成を示すブロック図である。
【図４】ＰＣの機能構成を示すブロック図である。
【図５】編集画面の一例を示す図である。
【図６】編集画面およびラベルイメージ選択画面の一例を示す図である。
【図７】ＰＣによる印刷データ生成処理の流れを示すフローチャートである。
【図８】変形例１に係る編集画面およびラベルイメージ選択画面の一例を示す図である。
【発明を実施するための形態】
【００２５】
以下、添付の図面を参照して、本発明の情報処理装置、情報処理装置の表示方法およびプログラムについて説明する。本実施形態では、本発明の情報処理装置を、パーソナルコンピューター（以下、「ＰＣ」と称する）２に適用した場合を例示する。また、ＰＣ２は、長尺状の印刷媒体（以下、「印刷テープＴ」と称する）に印刷を行ってラベルを作成するテープ印刷装置３と通信可能であるものとする。
【００２６】
図１は、本発明の一実施形態に係る印刷システムＳＹの構成図である。同図に示すように、印刷システムＳＹは、ＰＣ２およびテープ印刷装置３を備えている。
【００２７】
ＰＣ２は、ＰＣ本体２１、表示画面２２、キーボード２３、マウス２４など一般的なコンピューターの構成を有している。また、ＰＣ２は、ＵＳＢケーブル４０を介してテープ印刷装置３と通信する。なお、ＰＣ２とテープ印刷装置３間の通信は、ＵＳＢ規格に限らず、Ｅｔｈｅｒｎｅｔ（登録商標）など他の規格を用いても良い。また、Ｂｌｕｅｔｏｏｔｈ（登録商標）などの無線通信規格を用いても良い。
【００２８】
テープ印刷装置３は、長尺状の印刷テープＴおよびインクリボンが収容されたテープカートリッジ３１が装着され、ＰＣ２から印刷データを受信すると、テープカートリッジ３１から印刷テープＴを繰り出しつつ、印刷処理および切断処理を行う。印刷テープＴの印刷済み部分は、切断処理後、テープ排出口３２から排出され、ラベルとして用いられる。
【００２９】
次に、図２および図３を参照し、ＰＣ２およびテープ印刷装置３のハードウェア構成について説明する。図２は、ＰＣ２のブロック図である。ＰＣ２は、ハードウェア構成として、図１に示した表示画面２２、キーボード２３、マウス２４の他、ＵＳＢ通信部２５、ＨＤＤ（Hard  disk  drive）２６およびＰＣ側制御部２８を備えている。
【００３０】
表示画面２２は、ラベル編集用の編集画面Ｄ１（図５等参照）など、各種情報を表示する。キーボード２３およびマウス２４は、各種選択肢の選択操作や編集操作を行うために用いられる。ＵＳＢ通信部２５は、ＵＳＢ通信規格に基づき、テープ印刷装置３と通信を行う。
【００３１】
ＨＤＤ２６は、ＯＳ（Operating  System）２６ａおよび専用アプリケーション２６ｂを記憶する。専用アプリケーション２６ｂは、テープ印刷装置３に出力する印刷データを生成するためのアプリケーションである。上記の編集画面Ｄ１は、当該専用アプリケーション２６ｂの一機能として表示される画面である。
【００３２】
ＰＣ側制御部２８は、ＣＰＵ（Central  Processing  Unit）およびＲＡＭ（Random  Access  Memory）等によって実現され、上記の各部（符号２２ないし符号２６）と連携し、印刷データの生成処理やテープ印刷装置３との通信制御を行う。
【００３３】
図３は、テープ印刷装置３のブロック図である。テープ印刷装置３は、ハードウェア構成として、ＵＳＢ通信部３３、カートリッジ検出部３４、印刷機構３５および印刷装置側制御部３６を備えている。
【００３４】
ＵＳＢ通信部３３は、ＵＳＢ通信によってＰＣ２と通信を行う。カートリッジ検出部３４は、テープカートリッジ３１に収容された印刷テープＴに関するテープ情報（媒体情報）を検出する。本実施形態では、テープ情報として、印刷テープＴのテープ色（媒体色）、印刷テープＴに印刷されるインク色（印刷色）、テープ種類（材質や、予め丸型・楕円・角丸にカットされたカットラベルか否かなど）を検出する。検出方法としては、テープカートリッジ３１に貼付または印刷されたコード画像（バーコードや２次元コードなど）やＲＦＩＤ（Radio  Frequency  Identification）を読み取る方法、テープカートリッジ３１に形成された１以上の孔の有無を検出する方法、などが考えられる。なお、テープカートリッジ３１を検出するのではなく、テープカートリッジ３１から繰り出された印刷テープＴを各種センサーで検出しても良い。
【００３５】
印刷機構３５は、印刷ヘッド４１、テープ送りモーター４２、カッターモーター４３およびテープカッター４４を含む。印刷ヘッド４１は、サーマルヘッドであり、繰り出された印刷テープＴおよびインクリボンを、プラテンローラー（図示省略）との間に挟み込んで印刷を行う。テープ送りモーター４２は、繰り出された印刷テープＴを、印刷ヘッド４１からテープ排出口３２（図１参照）に向けて搬送する。カッターモーター４３は、テープカッター４４を駆動し、テープ送りを一旦停止した状態で、印刷テープＴの印刷済み部分をテープ幅方向に切断する。
【００３６】
印刷装置側制御部３６は、ＣＰＵやＲＡＭ等によって実現され、上記の各部（符号３３ないし符号３５）と連携し、ＰＣ２との通信制御や印刷制御を行う。具体的には、テープカートリッジ３１の装着時またはＰＣ２からの問い合わせがあったとき、ＵＳＢ通信部３３を介してカートリッジ検出部３４によって検出したテープ情報をＰＣ２に送信する。また、ＰＣ２からＵＳＢ通信部３３を介して印刷データを受信し、当該印刷データに基づいて印刷機構３５を制御する。
【００３７】
次に、図４を参照し、ＰＣ２の機能構成について説明する。ＰＣ２は、機能構成として、取得部５１、表示部５２、選択部５３、印刷データ編集部５４および出力部５５を備えている。これらは、主に上記の専用アプリケーション２６ｂ（図２参照）によって提供される機能である。
【００３８】
取得部５１は、テープ印刷装置３のカートリッジ検出部３４によって検出されたテープ情報を取得する。当該テープ情報には、印刷テープＴのテープ色を示す情報と、インクリボンのインク色を示す情報が含まれる。なお、テープ情報として、テープカートリッジ３１の識別情報を取得し、専用アプリケーション２６ｂに組み込まれた対応テーブルを参照して、識別情報から印刷テープＴのテープ色およびインクリボンのインク色を特定しても良い。
【００３９】
表示部５２は、選択肢表示部５２ａおよびイメージ表示部５２ｂを含む。イメージ表示部５２ｂは、編集画面Ｄ１内（後述するレイアウト編集領域Ｅ２）にラベルのレイアウトを表示する。具体的には、印刷テープＴを模したテープイメージ７１上に、印刷画像を模した画像イメージ７２を重畳表示する（図５等参照）。なお、これらテープイメージ７１上および画像イメージ７２を、以下「ラベルイメージ７０」と総称する。一方、選択肢表示部５２ａは、取得部５１によって取得したテープ情報に基づき、ラベルイメージ選択画面Ｄ２を表示する（図６参照）。当該ラベルイメージ選択画面Ｄ２には、表示するテープイメージ７１の表示色候補となる第１の選択肢群（符号８１）と、画像イメージ７２の表示色候補となる第２の選択肢群（符号８２）と、が含まれる。
【００４０】
選択部５３は、ユーザーによるキーボード２３またはマウス２４の操作に基づき、第１の選択肢群（符号８１）および第２の選択肢群（符号８２）の中から、それぞれ第１の選択肢（任意の選択肢）および第２の選択肢を選択する。これらの選択は、ユーザーが実際のラベルのテープ色および印刷色と、プレビュー表示されたテープイメージ７１の表示色および画像イメージ７２の表示色と、が異なると感じたときに、表示色を補正すべく行う操作である。イメージ表示部５２ｂは、選択部５３による選択に伴い、テープイメージ７１を第１の選択肢に対応した表示色で表示し、画像イメージ７２を第２の選択肢に対応した表示色で表示する。
【００４１】
印刷データ編集部５４は、ユーザーによるキーボード２３またはマウス２４の操作に基づき、イメージ表示部５２ｂによって表示されたテープイメージ７１および画像イメージ７２を編集する。編集内容としては、テープ長の変更、テキストの入力、図形の挿入、テキストに対する書体・サイズ・装飾の変更、図形に対する線の種類変更や表面の塗りつぶし、などを行う。出力部５５は、印刷データ編集部５４の編集結果を反映した印刷データを、テープ印刷装置３に出力する。
【００４２】
次に、図５および図６を参照し、編集画面Ｄ１およびラベルイメージ選択画面Ｄ２について具体例を挙げて説明する。図５は、テープ情報を取得する前の編集画面Ｄ１の表示例を示している。同図に示すように、編集画面Ｄ１は、画面左部のテープ設定領域Ｅ１と、画面右部のレイアウト編集領域Ｅ２と、から成る。
【００４３】
テープ設定領域Ｅ１は、機種を選択する領域６１と、テープ情報の取得に用いるテープ情報取得ボタン６２と、テープ種類を選択する領域６３と、テープ幅を選択する領域６４と、貼り合わせ印刷の倍率を選択する領域６５と、テープ長を表示／指定する領域６６と、テープ長設定を切り替える領域６７と、余白長を指定する領域６８と、印刷テープＴの置き方を選択する領域６９と、を含む。
【００４４】
領域６１では、接続されているテープ印刷装置３の機種が選択される。テープ情報取得ボタン６２は、その押下によってテープ印刷装置３に装着された印刷テープＴ（テープカートリッジ３１）に関するテープ情報を取得する。領域６３では、カットラベル使用時に「カットラベル」が選択され、それ以外は「通常」が選択される。領域６４では、テープ印刷装置３に装着する印刷テープＴのテープ幅が選択される。なお、テープ情報の一部としてテープ幅に関する情報を取得し、当該情報を領域６４に反映しても良い。領域６５では、複数枚の印刷テープＴをテープ幅方向に貼り合わせて使用する場合の貼り合わせ枚数（倍率）が選択される。
【００４５】
領域６７では、印刷画像のテープ長方向の長さに応じて印刷テープＴの長さを自動調節する「自動」と、領域６６で指定された長さのラベルを作成する「定長」と、のいずれかが選択される。領域６６では、領域６７で「自動」が選択された場合、自動調節されたテープ長を表示し、領域６７で「定長」が選択された場合、テープ長が指定される。領域６８では、ラベル前後の余白が数値で指定される。領域６９では、ラベルイメージ７０を横置き且つテキストを横書きで表示する「右向き矢印」と、ラベルイメージ７０を縦置き且つテキストを縦書きで表示する「下向き矢印」と、のいずれかが選択される。
【００４６】
一方、レイアウト編集領域Ｅ２は、印刷テープＴを示すテープイメージ７１（同図では、白色の長方形）に、印刷画像（同図では、テキスト「あいう」）を示す画像イメージ７２を重畳したラベルイメージ７０を表示する。また、ラベルイメージ７０には、印刷範囲を示す点線枠７５と、入力されたテキスト（テキストブロック）の位置やサイズを変更するための複数のハンドル７６（同図では、８個）と、を重畳表示する。なお、ハンドル７６は、テキストの位置やサイズが確定されると非表示となる。また、レイアウト編集領域Ｅ２の下辺部および右辺部には、スクロールバー７７，７８が設けられている。
【００４７】
図５に示した編集画面Ｄ１において、テープ情報取得ボタン６２がクリックされると、図６に示すように、ポップアップ画面としてラベルイメージ選択画面Ｄ２を表示する。また、レイアウト編集領域Ｅ２のラベルイメージ７０を、取得したテープ情報に対応した基準色で表示する。例えば、テープ情報に「テープ色：赤」、「インク色：白」を示す情報が含まれている場合は、テープイメージ７１を「赤」の基準色で表示し、画像イメージ７２を「白」の基準色で表示する。このとき、点線枠７５および／またはハンドル７６の色を、テープイメージ７１の表示色変更に伴って変更しても良い。なお、テープ情報と基準色を対応付ける対応テーブル、並びに基準色に対応した近似色（後述する）を選定するための対応テーブルは専用アプリケーション２６ｂによって提供される。
【００４８】
ラベルイメージ選択画面Ｄ２には、テープ色を選択するための複数のカラーチップ群８１と、インク色を選択するための複数のカラーチップ群８２と、が表示される。例えばテープ情報に「テープ色：赤」を示す情報が含まれている場合、カラーチップ群８１には、「赤」の基準色のカラーチップ以外に、「赤」の基準色を中心とした４種類の「赤」の近似色を示すカラーチップが表示される。ここで、「近似色」とは、基準色と同系統の色であって、基準色に対して、明度、濃度、カラー配合（Ｒ・Ｇ・Ｂの割合）等が異なるものを指す。同図の例では、カラーチップ群８１として、「基準色より２段階明度が高い色」、「基準色より１段階明度が高い色」、「基準色」、「基準色より１段階明度が低い色」、「基準色より２段階明度が低い色」、を示す５種類のカラーチップを、明度順に配列した例を示している。なお、５種類のカラーチップのうち黒太枠８１ｓが付されたカラーチップは、その選択肢が選択されていることを示している。
【００４９】
同様に、例えばテープ情報に「インク色：白」を示す情報が含まれている場合、インク色を選択するためのカラーチップ群８２には、「白」の基準色のカラーチップ以外に、「白」の基準色を中心とした４種類の「白」の近似色を示すカラーチップが表示される。カラーチップ群８２についても、「基準色より２段階明度が高い色」、「基準色より１段階明度が高い色」、「基準色」、「基準色より１段階明度が低い色」、「基準色より２段階明度が低い色」、を示す５種類のカラーチップを、明度順に配列する。また、５種類のカラーチップのうち黒太枠８２ｓが付されたカラーチップは、その選択肢が選択されていることを示している。
【００５０】
なお、ラベルイメージ選択画面Ｄ２において「ＯＫ」ボタン８５が押下されると、選択中の選択肢に基づいて、テープイメージ７１および／または画像イメージ７２の表示色を変更し、ラベルイメージ選択画面Ｄ２を非表示とする。また、「キャンセル」ボタン８６が押下されると、テープイメージ７１および／または画像イメージ７２の表示色を変更することなく、ラベルイメージ選択画面Ｄ２を非表示とする。なお、特に図示しないが、テープ情報によって特定されるテープ色およびインク色に依らず、カラーチップ群８１，８２に表示されるカラーチップの数（複数の選択肢の数）は同数（所定数）となる。
【００５１】
次に、図７のフローチャートを参照し、ＰＣ２による印刷データ生成処理の流れを説明する。ここでは、専用アプリケーション２６ｂが既に起動状態であり、ＰＣ２の表示画面２２に編集画面Ｄ１（図５参照）が表示されているものとする。
【００５２】
ＰＣ２（専用アプリケーション２６ｂ）は、編集画面Ｄ１において、ユーザーによってテープ情報取得ボタン６２が押下されると、テープ印刷装置３に対しテープ情報取得要求を行い（Ｓ０１）、テープ情報を取得したか否かを判定する（Ｓ０２）。テープ情報を取得できなかった場合（例えば、テープ印刷装置３にテープカートリッジ３１が装着されてない場合など）は（Ｓ０２：Ｎｏ）、編集画面Ｄ１上にエラーメッセージを表示し（Ｓ０３）、印刷データ生成処理を終了する。
【００５３】
一方、テープ情報を取得した場合は（Ｓ０２：Ｙｅｓ）、編集画面Ｄ１に表示しているテープイメージ７１および画像イメージ７２の表示色を、テープ情報に含まれるテープ色およびインク色に対応した基準色に設定し（Ｓ０４）、さらにラベルイメージ選択画面Ｄ２を表示する（Ｓ０５）。ラベルイメージ選択画面Ｄ２にて表示色（テープ色またはインク色に対応する表示色）の変更が行われた場合は（Ｓ０６：Ｙｅｓ）、当該変更にしたがってテープイメージ７１および／または画像イメージ７２の表示色を変更する（Ｓ０７）。また、表示色の変更が行われなかった場合は（Ｓ０６：Ｎｏ）、Ｓ０７を省略する。
【００５４】
その後、ＰＣ２は、ユーザーによる編集操作に基づいて印刷データを編集し（Ｓ０８）、ユーザーによる印刷指示操作に基づいて印刷データを生成すると（Ｓ０９）、生成した印刷データをテープ印刷装置３に出力し（Ｓ１０）、印刷データ生成処理を終了する。
【００５５】
以上説明したとおり、本実施形態のＰＣ２は、テープ印刷装置３から取得したテープ情報に基づいて、テープイメージ７１の表示色候補となる複数の選択肢をラベルイメージ選択画面Ｄ２に表示し、その中から選択された表示色でテープイメージ７１を表示する。これにより、表示画面２２の特性やユーザーの使用環境（照明、画面設定など）に依らず、ユーザーが実際のテープ色と近いと感じる表示色でテープイメージ７１を表示させることができる。特にラベルを作成する場合は、そのテープ色のイメージが成果物のイメージに大きく影響するため、実際のテープ色に近い表示色でテープイメージ７１を表示することで、ユーザーはその表示を確認しながら印刷データの編集を行うことができ、希望どおりのラベルを作成することができる。また、表示画面２２の特性に合わせて表示色を変化させるためのプロファイル等を必要としないため、専用アプリケーション２６ｂの開発も容易となる。
【００５６】
また、複数の選択肢として、テープ色の近似色を示す表示色候補を表示するため、近似色に限らずフルカラーの表示色候補を表示する場合と比較して、ユーザーが選択肢の選択を容易に行うことができる。また、表示色候補は所定数（本実施形態では、５種類）を表示するため、テープ色によって選択肢の数が増減することがなく、選択が容易である。
【００５７】
また、ラベルイメージ選択画面Ｄ２には、テープイメージ７１の表示色候補だけでなく画像イメージ７２の表示色候補も表示するため、画像イメージ７２についてもユーザーが実際のインク色と近いと感じる色で表示させることができる。また、編集画面Ｄ１は、テープ情報を取得したとき、テープ色およびインク色に対応する基準色でテープイメージ７１および画像イメージ７２を表示するため、ユーザーは、当該基準色に違和感があったときのみラベルイメージ選択画面Ｄ２で表示色を変更すれば良く、基準色に違和感がない場合の不要な選択操作を省略できる。
【００５８】
なお、上記の実施形態に関わらず、以下の変形例を採用可能である。
［変形例１］
上記の実施形態では、ラベルイメージ選択画面Ｄ２において、テープイメージ７１および画像イメージ７２の表示色候補としてカラーチップ群８１，８２を表示したが（図６参照）、図８に示すように、画像イメージ（例えば、既定のテキスト「テープ」など）をテープイメージに重畳表示した複数のイメージサンプルから成るイメージサンプル群８３を表示しても良い。本変形例では、イメージサンプル群８３として、テープ色および印刷色の基準色に対応する基準色サンプル（同図、中央）と、当該基準色サンプルを基準として、テープイメージの表示色および画像イメージの表示色の少なくとも一方が異なる複数の近似色サンプルと、を表示する（同図の例では、全１５種類）。なお、黒太枠８３ｓが付されたイメージサンプルは、その選択肢が選択されていることを示している。このように本変形例によれば、表示色候補としてイメージサンプル群８３を表示するため、実際に作成されるラベルを想定しながら、所望の表示色を選択することができる。また、テープイメージ７１の表示色と画像イメージ７２の表示色を一括選択できるため、選択操作が容易である。
【００５９】
なお、「ＯＫ」ボタン８５および「キャンセル」ボタン８６の機能は、図６に示したラベルイメージ選択画面Ｄ２と同様である。また、イメージサンプルに表示する文字列は、既定のテキストではなく、レイアウト編集領域Ｅ２で編集されているテキスト（同図の例では、「あいう」）としても良い。
【００６０】
［変形例２］
また、ラベルイメージ選択画面Ｄ２におけるユーザーの選択結果を学習し、その学習結果を表示色候補の選定に反映しても良い。この場合ＰＣ２は、選択部５３による表示色候補の選択結果（任意の選択肢の選択結果）を記憶する記憶部（図示省略）を備え、選択肢表示部５２ａは、記憶部に記憶されている過去の選択結果を考慮して、テープイメージ７１および画像イメージ７２の表示色候補（カラーチップ群８１，８２）、若しくはイメージサンプル群８３を表示する。この構成によれば、ユーザーの選択操作をアシストすることができる。例えば、前回、色合いが異なる５段階の表示色候補（例えば、明度レベル「＋２」，「＋１」,「０」，「−１」，「−２」の候補）の中から、最下位段階の表示色候補を選択した場合、今回は、その最下位段階の表示色候補を基準色とする表示色候補（例えば、明度レベル「０」,「−１」，「−２」，「−３」，「−４」の候補）を表示する、などが考えられる。また、過去の学習結果から明度レベルの平均値または中央値などを算出し、その算出結果に基づいて基準色を選定しても良い。これらの場合ユーザーは、基準色から表示色候補を検討していくことで、自分の好みの表示色を迅速に探し出すことができる。なお、記憶部は、揮発性記憶媒体、不揮発性記憶媒体のいずれでも良い。
【００６１】
［その他の変形例］
また、上記の実施形態では、カラーチップ群８１，８２またはイメージサンプル群８３として、テープ色／インク色に対応する基準色およびその近似色となる表示色候補を表示したが、基準色を含めなくても良い。つまり、レイアウト編集領域Ｅ２に表示されているラベルイメージ７０の表示色以外の表示色候補を、カラーチップ群８１，８２またはイメージサンプル群８３として表示しても良い。
【００６２】
また、表示色候補として、近似色以外の色を表示しても良い。つまり、ユーザーの好みに応じて実際のテープ色／インク色と異なる色をラベルイメージ７０の表示色としても良い。また、特殊な照明光下では、表示画面２２の表示色とユーザーが認識する色とが異なる場合があるため、そのような状況においては、カラーチップ群８１，８２またはイメージサンプル群８３として、敢えて近似色以外の色を提示することで、ユーザーが認識するラベルイメージ７０の表示色を実際のテープ色に近づけることができる。
【００６３】
また、図６に示したカラーチップ群８１，８２に代えて、色コードや色説明（例えば、基準色を「明度０」とした場合の、「明度＋２」、「明度−１」など）を示す選択肢を表示しても良い。
【００６４】
また、上記の実施形態では、ラベルイメージ選択画面Ｄ２の「ＯＫ」ボタン８５が押下された時点で、ラベルイメージ７０の表示色を変更するものとしたが、カラーチップ群８１，８２またはイメージサンプル群８３中の選択肢を変更した時点で（黒太枠８１ｓ，８２ｓ，８３ｓを移動させた時点で）、ラベルイメージ７０の表示色を変更しても良い。
【００６５】
また、上記の実施形態では、ラベルイメージ選択画面Ｄ２に表示された複数の選択肢のうち、いずれか１の選択肢を選択するものとしたが、複数の選択肢を選択可能としても良い。例えば、選択肢の中に所望の色が含まれない場合、ユーザーが所望の色に近い色を２色または３色選択し、それらを混合した色を表示色として選定しても良い。
【００６６】
また、上記の実施形態では、印刷媒体として印刷テープＴを例示したが、コピー用紙や葉書などの印刷媒体を用いる場合にも、本実施形態を適用可能である。また、情報処理装置の一例としてＰＣ２を例示したが、スマートフォンなどの各種タブレット端末や他の情報処理装置にも、本実施形態を適用可能である。なお、タブレット端末など表示画面のバックライト調節機能を搭載している場合は、バックライトの設定に応じて、ラベルイメージ選択画面Ｄ２に表示する表示色候補を可変しても良い。若しくは、バックライトの設定を考慮して、ユーザーに対するレコメンド（お勧めの選択肢を他の選択肢とは異なる表示形態で表示するなど）を行っても良い。
【００６７】
また、上記の実施形態では、ＰＣ２からのテープ情報取得要求に対してテープ印刷装置３がテープ情報を返信する構成としたが、テープ印刷装置３から自発的にテープ情報を送信しても良い。また、テープ印刷装置３でテープ情報を検出するのではなく、テープ色およびインク色をユーザーがＰＣ２に入力する構成としても良い。この場合、「赤」、「白」など、大まかな色をユーザーが入力し、各色の近似色を表示色候補として表示すれば良い。
【００６８】
また、上記の実施形態および変形例に示した印刷システムＳＹ（ＰＣ２およびテープ印刷装置３）における各構成要素をプログラムとして提供しても良い。また、そのプログラムを各種記録媒体（ＣＤ−ＲＯＭ、フラッシュメモリー等）に格納して提供しても良い。すなわち、コンピューターを印刷システムＳＹの各構成要素として機能させるためのプログラム、およびそれを記録した記録媒体も、本発明の権利範囲に含まれる。その他、本実施形態のＰＣ２の各部をクラウドコンピューティングで実現するなど、本発明の要旨を逸脱しない範囲で、適宜変更が可能である。
【符号の説明】
【００６９】
２：ＰＣ  ３：テープ印刷装置  ２１：ＰＣ本体  ２２：表示画面  ２３：キーボード  ２４：マウス  ２６ｂ：専用アプリケーション  ２８：ＰＣ側制御部  ３１：テープカートリッジ  ３４：カートリッジ検出部  ３５：印刷機構  ５１：取得部  ５２：表示部  ５２ａ：選択肢表示部  ５２ｂ：イメージ表示部  ５３：選択部  ５４：印刷データ編集部  ５５：出力部  ６２：テープ情報取得ボタン  ７０：ラベルイメージ  ７１：テープイメージ  ７２：画像イメージ  ８１：カラーチップ群（テープ色）  ８２：カラーチップ群（インク色）  ８３：イメージサンプル群  Ｄ１：編集画面  Ｄ２：ラベルイメージ選択画面  Ｅ１：テープ設定領域  Ｅ２：レイアウト編集領域  ＳＹ：印刷システム  Ｔ：印刷テープ
【図１】
0006380159.tif 000002
【図２】
0006380159.tif 000003
【図３】
0006380159.tif 000004
【図４】
0006380159.tif 000005
【図５】
0006380159.tif 000006
【図６】
0006380159.tif 000007
【図７】
0006380159.tif 000008
【図８】
0006380159.tif 000009